(57)【要約】【課題】撮影状態に適したかたちでガイド表示が行われるようにする。【解決手段】傾きセンサ１０５により検出された傾きに応じた傾きガイド表示を行う場合に、動画撮影モードであれば、傾きガイド表示の感度（誇張の度合い）を通常設定のままとする。静止画撮影モードであれば、シャッターボタン１１６の押下位置が半押し位置にあるか否かを判定し、半押し位置にあれば、傾きガイド表示の感度（誇張の度合い）を高く設定し、半押し位置になければ、傾きガイド表示の感度（誇張の度合い）を通常設定のままとする。【選択図】図１
2007336342.tif 000002
【特許請求の範囲】
【請求項１】
動画撮影モード又は静止画撮影モードに設定する撮影モード設定手段と、
撮影画像を表示する表示手段と、
該撮像装置の傾きを検出する傾き検出手段と、
前記傾き検出手段により検出された傾きに応じたガイドを前記表示手段に表示する表示処理手段とを備え、
前記表示処理手段は、前記撮影モード設定手段にて設定される撮影モードに応じて、前記ガイドの表示状態を変更することを特徴とする撮像装置。
【請求項２】
前記表示処理手段は、前記撮影モード設定手段にて設定される撮影モードに応じて、前記ガイド表示の誇張の度合いを変更することを特徴とする請求項１に記載の撮像装置。
【請求項３】
前記表示処理手段は、前記撮影モード設定手段にて動画撮影モードが設定される場合には、静止画撮影モードが設定される場合よりも前記ガイド表示の誇張の度合いを低くすることを特徴とする請求項２に記載の撮像装置。
【請求項４】
静止画撮影の記録準備の指示を行う第１の操作位置を有する操作部材を備え、
前記表示処理手段は、静止画撮影モードが設定される場合には、前記操作部材の操作位置に応じて、前記ガイド表示の誇張の度合いを変更することを特徴とする請求項２に記載の撮像装置。
【請求項５】
前記表示処理手段は、前記操作部材が前記第１の操作位置にあるときには、前記操作部材が前記第１の操作位置以外にあるときよりも、前記ガイド表示の誇張の度合いを高くすることを特徴とする請求項４に記載の撮像装置。
【請求項６】
前記表示処理手段は、前記操作部材が前記第１の操作位置以外にあるときには、前記操作部材が前記第１の操作位置にあるときよりも、前記ガイド表示の誇張の度合いを低くすることを特徴とする請求項４に記載の撮像装置。
【請求項７】
動画撮影モード又は静止画撮影モードに設定する撮影モード設定手段と、
撮影画像を表示する表示手段と、
該撮像装置の傾きを検出する傾き検出手段と、
前記傾き検出手段により検出された傾きに応じたガイドを前記表示手段に表示する表示処理手段と、
動画撮影モードであるか静止画撮影モードであるかに応じて、前記傾き検出手段の検出感度を変更する変更手段とを備えたことを特徴とする撮像装置。
【請求項８】
前記変更手段は、前記撮影モード設定手段にて動画撮影モードが設定される場合には、静止画撮影モードが設定される場合よりも前記傾き検出手段の検出感度を低くすることを特徴とする請求項７に記載の撮像装置。
【請求項９】
静止画撮影の記録準備の指示を行う第１の操作位置を有する操作部材を備え、
前記変更手段は、静止画撮影モードが設定される場合には、前記操作部材の操作位置に応じて、前記傾き検出手段の検出感度を変更することを特徴とする請求項７に記載の撮像装置。
【請求項１０】
前記変更手段は、前記操作部材が前記第１の操作位置にあるときには、前記操作部材が前記第１の操作位置以外にあるときよりも、前記傾き検出手段の検出感度を高くすることを特徴とする請求項９に記載の撮像装置。
【請求項１１】
前記変更手段は、前記操作部材が前記第１の操作位置以外にあるときには、前記操作部材が前記第１の操作位置にあるときよりも、前記傾き検出手段の検出感度を低くすることを特徴とする請求項９に記載の撮像装置。
【請求項１２】
前記傾き検出手段は傾き信号を増幅する増幅回路を備え、前記変更手段は、前記増幅回路のゲインを増減することで前記傾き検出手段の検出感度を変更することを特徴とする請求項７〜１１のいずれか１項に記載の撮像装置。
【請求項１３】
動画撮影モード又は静止画撮影モードに設定する撮影モード設定手段と、撮影画像を表示する表示手段と、該撮像装置の傾きを検出する傾き検出手段と、前記傾き検出手段により検出された傾きに応じたガイドを前記表示手段に表示する表示処理手段とを備えた撮像装置におけるガイド表示方法であって、
前記撮影モード設定手段にて設定される撮影モードに応じて、前記ガイドの表示状態を変更することを特徴とする撮像装置におけるガイド表示方法。
【請求項１４】
動画撮影モード又は静止画撮影モードに設定する撮影モード設定手段と、撮影画像を表示する表示手段と、該撮像装置の傾きを検出する傾き検出手段と、前記傾き検出手段により検出された傾きに応じたガイドを前記表示手段に表示する表示処理手段とを備えた撮像装置におけるガイド表示方法であって、
前記撮影モード設定手段にて設定される撮影モードに応じて、前記傾き検出手段の検出感度を変更する手順を有することを特徴とする撮像装置におけるガイド表示方法。
【請求項１５】
動画撮影モード又は静止画撮影モードに設定する撮影モード設定手段と、撮影画像を表示する表示手段と、該撮像装置の傾きを検出する傾き検出手段と、前記傾き検出手段により検出された傾きに応じたガイドを前記表示手段に表示する表示処理手段とを備えた撮像装置に用いられるコンピュータプログラムであって、
前記撮影モード設定手段にて設定される撮影モードに応じて、前記ガイドの表示状態を変更する処理をコンピュータに実行させることを特徴とするコンピュータプログラム。
【請求項１６】
動画撮影モード又は静止画撮影モードに設定する撮影モード設定手段と、撮影画像を表示する表示手段と、該撮像装置の傾きを検出する傾き検出手段と、前記傾き検出手段により検出された傾きに応じたガイドを前記表示手段に表示する表示処理手段とを備えた撮像装置に用いられるコンピュータプログラムであって、
動前記撮影モード設定手段にて設定される撮影モードに応じて、前記傾き検出手段の検出感度を変更する処理をコンピュータに実行させることを特徴とするコンピュータプログラム。
【発明の詳細な説明】
【技術分野】
【０００１】
本発明は、撮影時に水平を保持するためのガイド表示が行われるようにした撮像装置、ガイド表示方法、及びコンピュータプログラムに関する。
【背景技術】
【０００２】
従来より、ビデオカメラ等にて撮影された映像を見やすいものとする目的で、撮影時にカメラの水平を維持するための技術が提案されている。
【０００３】
例えば特許文献１には、姿勢検出手段によりカメラの傾斜角度を検出し、検出された傾斜角度に対応した表示パターンを画面表示することで、カメラが傾いていることを撮影者に提示し、注意を促すようにしている。
【０００４】
また、傾きの表示方法としても、例えば特許文献２には、水平基準線とカメラの傾きを表わす線の両方を色分けして表示し、一致したら一本の線として表示することが提案されている。
【０００５】
【特許文献１】特開昭６４−４０８２４号公報
【特許文献２】特開２００２−２７１６５４号公報
【発明の開示】
【発明が解決しようとする課題】
【０００６】
しかしながら、動画撮影時においては、撮影者は動きのある被写体を追いかけながら撮影する場合が多い。この場合、カメラの傾き具合を表わすガイドを画面上に表示し、撮影者に水平保持を促しても、撮影者がカメラを常に水平に保持することは困難である。それどころか、水平に保持することが困難な状態では、画面上にガイドが敏感に表示されると煩わしく感じ、逆に良好な撮影状況を妨げるという欠点があった。
【０００７】
静止画撮影時においても、シャッターボタンが半押し位置以外にある場合、すなわちフレーミング中においては、上記の動画撮影時と同様の欠点があった。
【０００８】
その一方で、シャッターボタンが半押し位置にある場合は、撮影者はその１シーンを静止画として記録し残すため、意図した構図となっているか、被写体が傾いていないかを考慮する。したがって、より微妙な傾きを検出し、撮影者によりわかりやすく提示することが求められる。
【０００９】
本発明は上記のような点に鑑みてなされたものであり、撮影状態に適したかたちでガイド表示が行われるようにすることを目的とする。
【課題を解決するための手段】
【００１０】
本発明の撮像装置は、動画撮影モード又は静止画撮影モードに設定する撮影モード設定手段と、撮影画像を表示する表示手段と、該撮像装置の傾きを検出する傾き検出手段と、前記傾き検出手段により検出された傾きに応じたガイドを前記表示手段に表示する表示処理手段とを備え、前記表示処理手段は、前記撮影モード設定手段にて設定される撮影モードに応じて、前記ガイドの表示状態を変更する点に特徴を有する。
本発明の別の撮像装置は、動画撮影モード又は静止画撮影モードに設定する撮影モード設定手段と、撮影画像を表示する表示手段と、該撮像装置の傾きを検出する傾き検出手段と、前記傾き検出手段により検出された傾きに応じたガイドを前記表示手段に表示する表示処理手段と、前記撮影モード設定手段にて設定される撮影モードに応じて、前記傾き検出手段の検出感度を変更する変更手段とを備えた点に特徴を有する。
本発明の撮像装置におけるガイド表示方法は、動画撮影モード又は静止画撮影モードに設定する撮影モード設定手段と、撮影画像を表示する表示手段と、該撮像装置の傾きを検出する傾き検出手段と、前記傾き検出手段により検出された傾きに応じたガイドを前記表示手段に表示する表示処理手段とを備えた撮像装置におけるガイド表示方法であって、前記撮影モード設定手段にて設定される撮影モードに応じて、前記ガイドの表示状態を変更する手順を有する点に特徴を有する。
本発明の別の撮像装置におけるガイド表示方法は、動画撮影モード又は静止画撮影モードに設定する撮影モード設定手段と、撮影画像を表示する表示手段と、該撮像装置の傾きを検出する傾き検出手段と、前記傾き検出手段により検出された傾きに応じたガイドを前記表示手段に表示する表示処理手段とを備えた撮像装置におけるガイド表示方法であって、前記撮影モード設定手段にて設定される撮影モードに応じて、前記傾き検出手段の検出感度を変更する手順を有する点に特徴を有する。
本発明のコンピュータプログラムは、動画撮影モード又は静止画撮影モードに設定する撮影モード設定手段と、撮影画像を表示する表示手段と、該撮像装置の傾きを検出する傾き検出手段と、前記傾き検出手段により検出された傾きに応じたガイドを前記表示手段に表示する表示処理手段とを備えた撮像装置に用いられるコンピュータプログラムであって、前記撮影モード設定手段にて設定される撮影モードに応じて、前記ガイドの表示状態を変更する処理をコンピュータに実行させる点に特徴を有する。
本発明の別のコンピュータプログラムは、動画撮影モード又は静止画撮影モードに設定する撮影モード設定手段と、撮影画像を表示する表示手段と、該撮像装置の傾きを検出する傾き検出手段と、前記傾き検出手段により検出された傾きに応じたガイドを前記表示手段に表示する表示処理手段とを備えた撮像装置に用いられるコンピュータプログラムであって、前記撮影モード設定手段にて設定される撮影モードに応じて、前記傾き検出手段の検出感度を変更する処理をコンピュータに実行させる点に特徴を有する。
【発明の効果】
【００１１】
本発明によれば、撮影モード設定手段にて設定される撮影モードに応じて、さらには静止画撮影モードにおける操作部材の操作位置に応じて、撮像装置の傾きに応じたガイドの表示状態が変更されるので、撮影状態に適したかたちでガイド表示が行われるようにすることができる。
【発明を実施するための最良の形態】
【００１２】
以下、添付図面を参照して、本発明の好適な実施形態について説明する。
（第１の実施形態）
図１は、第１の実施形態に係るビデオカメラの概略構成を示すブロック図である。１０１はレンズユニットであり、固定されている第１レンズ群、変倍を行うズーム（変倍）レンズ群、絞り、固定されている第２レンズ群を含む。１０２はズーム駆動源、１０３は絞り駆動源、１０４はフォーカシング駆動源である。
【００１３】
１０７は撮像手段であるＣＣＤである。１０８はＣＣＤ１０７の出力を増幅するＡＧＣ（オートゲインコントロール回路）である。１０９はカメラ信号処理回路であり、ＡＧＣ１０８からの出力信号に所定の信号処理を施す。１１０は表示処理回路であり、カメラ信号処理回路１０９の出力信号を表示装置１１１に対応した信号に変換する。１１１はファインダや外部液晶パネル等の表示装置である。
【００１４】
１０５はビデオカメラの傾きを検出するための傾きセンサであり、本実施形態においては加速度センサを使用している。１０６は傾きセンサ１０５の出力を増幅するアンプ回路である。
【００１５】
１１２はカメラシステム制御マイコンであり、カメラ制御部１１３と、表示制御部１１４とを含んで構成される。カメラ制御部１１３は、ズーム駆動源１０２、フォーカシング駆動源１０４を制御し、画角変化及びピント合わせを行う。さらに、ＣＣＤ１０７、ＡＧＣ１０８、カメラ信号処理回路１０９の駆動制御も行う。また、表示制御部１１４は、アンプ回路１０６の出力を取り込み、検出された傾きに応じた傾きガイド表示信号を生成する。また、モード切換スイッチ１１５やガイド表示ＯＮ／ＯＦＦスイッチ１１７の状態に基づいて、傾きガイド表示を行うか否かを決定する。傾きガイド表示を行う場合、表示制御部１１４は傾きガイド表示信号を表示処理回路１１０に出力する。これにより、表示処理回路１１０にて映像信号に傾きガイド表示信号が合成され、図４に示すように、表示装置１１１の画面上に撮像画像４０１に傾きガイド４０３が重畳して表示されることになる。
【００１６】
１１５はモード切換スイッチであり、撮影モードを動画撮影モードもしくは静止画撮影モードに切り換える。１１６は二段式のスイッチであるシャッターボタンであり、その押下位置に応じて静止画撮影動作の指示を行う。１１７はガイド表示ＯＮ／ＯＦＦスイッチであり、撮影者が任意に傾きガイド表示をＯＮ／ＯＦＦすることができる。このガイド表示ＯＮ／ＯＦＦスイッチ１１７は、単独操作部材でも良いし、メニュー上の一項目として切り換え操作できるようにしても良い。
【００１７】
図２は、ビデオカメラの傾きと傾きセンサ１０５の出力との関係を示す図である。図２において、１００はビデオカメラ、１１１は表示装置である液晶パネル、１０５は傾きセンサ（加速度センサ）である。図１のアンプ回路１０６のゲイン設定を適切にすることにより、傾きセンサ１０５のセンサ出力は、以下のような電圧範囲をとるように設定できる。
【００１８】
図２（ｂ）はビデオカメラ１００が正位置にある場合を示しており、傾き検出センサ１０５の出力は電源電圧Ｖccの半分となる。これに対して、図２（ａ）に示すようにビデオカメラ１００を図中９０度左回りに傾けると、傾き検出センサ１０５の出力は電源電圧Ｖccと同じとなる。逆に、図２（ｃ）に示すように図中９０度右回りに傾けると、傾き検出センサ１０５の出力はＧＮＤレベルとなる。
【００１９】
図２（ａ）と図２（ｂ）、又は、図２（ｂ）と図２（ｃ）の中間の傾きにおいては、傾き検出センサ１０５の出力は傾きに対してリニアに変化する。この傾き量に応じた電圧に基づいて、表示制御部１１４により傾き量を示す傾きガイド表示信号が生成される。該傾きガイド表示信号は表示処理回路１１０を経て映像信号に合成され、表示装置１１１の画面上に撮像画像４０１に傾きガイド４０３が重畳して表示されることになる。
【００２０】
図３は、カメラシステム制御マイコン１１２の表示制御部１１４による傾きガイドの表示処理動作を説明するためのフローチャートである。ステップＳ３０１では、ガイド表示ＯＮ／ＯＦＦスイッチ１１７がＯＮになっているか否かを判定する。ガイド表示ＯＮ／ＯＦＦスイッチ１１７がＯＦＦになっていれば、ガイド表示信号を表示処理回路１１０に出力せずにメインルーチンへリターンする。それに対して、ガイド表示ＯＮ／ＯＦＦスイッチ１１７がＯＮになっていれば、ステップＳ３０２へ進み、傾きセンサ１０５のセンサ出力をサンプリングし、ステップＳ３０３へ進む。
【００２１】
ステップＳ３０３では、モード切換スイッチ１１５の設定状態を判定し、撮影モードが動画撮影モードであるか、静止画撮影モードであるかを判定する。動画撮影モードであれば、傾きガイド表示の誇張度合いを通常設定のままとしてステップＳ３０６へ進む。それに対して、静止画撮影モードであれば、ステップＳ３０４へ進む。
【００２２】
ステップＳ３０４では、シャッターボタン１１６の押下位置が半押し位置にあるか否かを判定する。半押し位置にあれば、ステップＳ３０５へ進み、傾きガイド表示の誇張度合いを高く設定する。これは、傾きガイド表示を誇張するための動作である。半押し位置になければ、傾きガイド表示の誇張度合いを通常設定のままとしてステップＳ３０６へ進む。
【００２３】
傾きガイド表示の誇張度合いの設定は、具体的には誇張度合いを表す誇張係数を設定することで行われる。通常設定では、誇張係数は「１」に設定されているが、ステップＳ３０４でシャッターボタン１１６の押下位置が半押し位置にあると判定されたときには、ステップＳ３０５で誇張係数を「１．５」に設定する。
【００２４】
ステップＳ３０６では、傾き検出センサ１０５のセンサ出力と、上記のように設定された傾き感度に基づいて、傾きガイドを表示する角度を表わす表示角度データθを算出する。算出の方法は以下の式に従う。
θ＝（誇張係数）×（センサ出力）
ここでいう誇張係数とは先に設定した値であり、センサ出力はステップＳ３０１で取り込まれたアンプ回路１０６の出力である。また、表示角度データθは、図４に示す傾きガイド４０３と水平線４０２との角度を表わしている。この式より、傾きセンサ１０５により同一の傾きを検出した場合でも、撮影モード、及び、シャッターボタン１１６の押下位置により傾きガイド４０３の角度が誇張されて表示されることになる。
【００２５】
表示角度データθの算出後、ステップＳ３０７へ進み、表示処理回路１１０での表示処理後、表示装置１１１に傾きガイドを表示する。
【００２６】
動画撮影モード時には、撮影者が手持ちで、動きのある被写体を追いかけるようにパンニングしながら撮影する用途が多い。そのため、撮影者がカメラを常に水平に保持することは困難であるし、敏感に傾きガイド表示が動いてしまうと、煩わしく感じられることもある。また、静止画撮影モード時でも、シャッターボタン１１６の押下位置が半押し位置以外の場合は、フレーミング中であると考えられる。そこで、これらの場合には、傾きガイド表示の誇張をしない通常設定のままにすることにより、撮影者にとって不快な使用感を与えることを防ぐことができる。
【００２７】
それに対して、静止画撮影モード時に、シャッターボタン１１６が半押し位置にある場合、撮影者はその１シーンを記録するために、意図した構図となっているか、特に被写体が傾いていないかを考慮し、被写体が傾いていない状態へとカメラを水平に保持しようとする。そこで、この場合には、傾き検出センサ１０５にて検出した傾きを１．５倍に誇張して傾きガイド表示を行うことにより、より微妙な傾きを撮影者にわかりやすく提示することができる。
【００２８】
また、この構成により、記録した画像が傾いたり、画像が傾いているために再生時に回転補正をしなければならなかったりすることを防止することができる。さらに、シャッターボタン１１６が半押し位置にある場合には、ＡＦ（合焦時）、ＡＥ等はロックされており、処理負荷への影響も軽微となるため、スムーズ、かつ感度の良い傾きガイド表示を行うことが可能である。
【００２９】
（第２の実施形態）
本発明の第２の実施形態について説明する。第２の実施形態のビデオカメラの構成は第１の実施形態と同様であり、ここではその詳細な説明は省略する。
【００３０】
図５は、カメラシステム制御マイコン１１２の表示制御部１１４による傾きガイドの表示処理動作を説明するためのフローチャートである。ステップＳ５０１では、ガイド表示ＯＮ／ＯＦＦスイッチ１１７がＯＮになっているか否かを判定する。ガイド表示ＯＮ／ＯＦＦスイッチ１１７がＯＦＦになっていれば、ガイド表示信号を表示処理回路１１０に出力せずにメインルーチンへリターンする。それに対して、ガイド表示ＯＮ／ＯＦＦスイッチ１１７がＯＮになっていれば、ステップＳ５０２へ進み、傾きセンサ１０５のセンサ出力をサンプリングし、ステップＳ５０３へ進む。
【００３１】
ステップＳ５０３では、モード切換スイッチ１１５の設定状態を判定し、撮影モードが動画撮影モードであるか、静止画撮影モードであるかを判定する。動画撮影モードであれば、ステップＳ５０５へ進み、傾きガイド表示の感度（誇張の度合い）を低く設定して、その後ステップＳ５０６へ進む。それに対して、静止画撮影モードであれば、ステップＳ５０４へ進む。
【００３２】
ステップＳ５０４では、シャッターボタン１１６の押下位置が半押し位置にあるか否かを判定する。半押し位置にあれば、傾きガイド表示の誇張係数を通常設定である「１」のままとしてステップＳ５０６へ進む。半押し位置になければ、ステップＳ５０５へ進み、傾きガイド表示の誇張係数を「０．５」に設定して、その後ステップＳ５０６へ進む。これは、傾きガイド表示を目立たなくするための動作である。
【００３３】
傾きガイド表示の誇張度合いの設定は、具体的には誇張係数を設定することで行われる。通常状態では、誇張係数は「１」に設定されているが、動画撮影モードや、静止画撮影モードでもシャッターボタン１１６の押下位置が半押し位置以外と判定されたときには、ステップＳ５０６で誇張係数を「０．５」に設定する。
【００３４】
ステップＳ３０６では、傾き検出センサ１０５のセンサ出力と、上記のように設定された傾き感度に基づいて、傾きガイドを表示する角度を表わす表示角度データθを算出する。算出の方法は以下の式に従う。
θ＝（誇張係数）×（センサ出力）
ここでいう誇張係数とは先に設定した値であり、センサ出力はステップＳ５０１で取り込まれたアンプ回路１０６の出力である。また、表示角度データθは、図４に示す傾きガイド４０３と水平線４０３との角度を表わしている。この式より、傾きセンサ１０５により同一の傾きを検出した場合でも、撮影モード、及び、シャッターボタン１１６の押下位置により傾きガイド４０３の角度が目立たなくなる。
【００３５】
表示角度データθの算出後、ステップＳ５０７へ進み、表示処理回路１１０で表示処理後、表示装置１１１に傾きガイド表示を表示する。
【００３６】
動画撮影モード時には、撮影者が手持ちで、動きのある被写体を追いかけるようにパンニングしながら撮影する用途が多い。そのため、撮影者がカメラを常に水平に保持することは困難であるし、敏感に傾きガイド表示が動いてしまうと、煩わしく感じられることもある。また、静止画撮影モード時でも、シャッターボタン１１６の押下位置が半押し位置以外の場合は、フレーミング中であると考えられる。そこで、これらの場合には、傾きガイド表示を傾き検出センサ１０５にて検出した傾きよりも小さい角度で表示することにより、撮影者にとって不快な使用感を与えることを防ぐことができる。
【００３７】
それに対して、静止画撮影モード時に、シャッターボタン１１６が半押し位置にある場合、撮影者はその１シーンを記録するために、意図した構図となっているか、特に被写体が傾いていないかを考慮し、被写体が傾いていない状態へとカメラを水平に保持しようとする。そこで、この場合には、傾きガイド表示を傾き検出センサ１０５にて検出した傾きのまま表示することにより、より微妙な傾きを撮影者にわかりやすく提示することができる。
【００３８】
（第３の実施形態）
本発明の第３の実施形態について説明する。図６に示すように、第３の実施形態のビデオカメラの基本構成は図１に示したものと同様であるが、アンプ回路１０６に替えてゲイン可変アンプ回路１１８を設けている。ゲイン可変アンプ回路１１８は、傾きセンサ１０５のセンサ出力に対するゲインを変更するものであり、これにより傾きセンサ１０５及びゲイン可変アンプ回路１１８より構成される傾き検出手段の検出感度を変更することができる。モード切替スイッチ１１５、シャッターボタン１１６の押下位置に応じて、カメラシステム制御マイコン１１２に設けられたアンプ制御部１１９によりゲイン設定が変更できるようになっている。
【００３９】
図８は、ゲイン可変アンプ回路１１８の構成例を示す図である。ゲイン可変アンプ１１８は、アンプ８０５、抵抗８０４、ゲイン切り替えスイッチ８０３により構成される。カメラシステム制御マイコン１１２からのスイッチ切り替え信号により、アンプ８０５の入力抵抗が並列に接続され、アンプゲインが上がる。このゲイン変更は、傾きガイド表示を誇張するために行われる。
【００４０】
図７は、カメラシステム制御マイコン１１２のガイド表示制御部１１４及びアンプ制御部１１９による傾きガイドの表示処理動作を説明するためのフローチャートである。ステップＳ７０１では、ガイド表示ＯＮ／ＯＦＦスイッチ１１７がＯＮになっているか否かを判定する。ガイド表示ＯＮ／ＯＦＦスイッチ１１７がＯＦＦになっていれば、ガイド表示信号を表示処理回路１１０に出力せずにメインルーチンへリターンする。それに対して、ガイド表示ＯＮ／ＯＦＦスイッチ１１７がＯＮになっていれば、ステップＳ７０２へ進む。
【００４１】
ステップＳ７０２では、モード切換スイッチ１１５の設定状態を判定し、撮影モードが動画撮影モードであるか、静止画撮影モードであるかを判定する。動画撮影モードであれば、ゲイン可変アンプ回路１１８のゲインを通常設定のまま、すなわち、傾き検出手段の検出感度を通常設定のままとしてステップＳ７０５へ進む。それに対して、静止画撮影モードであれば、ステップＳ７０３へ進む。
【００４２】
ステップＳ７０３では、シャッターボタン１１６の押下位置が半押し位置にあるか否かを判定する。半押し位置にあれば、ステップＳ７０４へ進み、ゲイン可変アンプ回路１１８のゲインを上げる、すなわち、傾き検出手段の検出感度を高く設定する。これは、傾きガイド表示を誇張するための動作である。半押し位置になければ、ゲイン可変アンプ回路１１８のゲインを通常設定のまま、すなわち、傾き検出手段の検出感度を通常設定のままとしてステップＳ７０５へ進む。
【００４３】
ステップＳ７０５では、傾きセンサ１０５のセンサ出力をサンプリングし、ステップＳ７０６では、表示処理回路１１０を経て、表示装置１１１により傾きガイドを表示する。
【００４４】
動画撮影モード時には、撮影者が手持ちで、動きのある被写体を追いかけるようにパンニングしながら撮影する用途が多い。そのため、撮影者がカメラを常に水平に保持することは困難であるし、敏感に傾きガイド表示が動いてしまうと、煩わしく感じられることもある。また、静止画撮影モード時でも、シャッターボタン１１６の押下位置が半押し位置以外の場合は、フレーミング中であると考えられる。そこで、これらの場合には、傾き検出手段の検出感度を通常設定のままとし、相対的に低くすることにより、撮影者にとって不快な使用感を与えることを防ぐことができる。
【００４５】
それに対して、静止画撮影モード時に、シャッターボタン１１６が半押し位置にある場合、撮影者はその１シーンを記録するために、意図した構図となっているか、特に被写体が傾いていないかを考慮し、被写体が傾いていない状態へとカメラを水平に保持しようとする。そこで、この場合には、傾き検出手段の検出感度を高く設定することにより、より微妙な傾きを撮影者にわかりやすく提示することができる。
【００４６】
また、この構成により、記録した画像が傾いたり、画像が傾いているために再生時に回転補正をしなければならなかったりすることを防止することができる。さらに、シャッターボタン１１６が半押し位置にある場合には、ＡＦ（合焦時）、ＡＥ等はロックされており、処理負荷への影響も軽微となるため、スムーズ、かつ感度の良い傾きガイド表示を行うことが可能である。
【００４７】
（第４の実施形態）
本発明の第４の実施形態について説明する。第４の実施形態のビデオカメラの構成は第３の実施形態と同様であり、ここではその詳細な説明は省略する。
【００４８】
図１０は、ゲイン可変アンプ回路１１８の構成例を示す図である。ゲイン可変アンプ１１８は、アンプ１００３、抵抗１００５、ゲイン切り替えスイッチ１００４により構成される。カメラシステム制御マイコン１１２からのスイッチ切り替え信号により、アンプ１００３の帰還抵抗が並列に接続され、アンプゲインが下がる。このゲイン変更は、傾きガイド表示を目立たなくするために行われる。
【００４９】
図９は、カメラシステム制御マイコン１１２のガイド表示制御部１１４及びアンプ制御部１１９による傾きガイドの表示処理動作を説明するためのフローチャートである。ステップＳ９０１では、ガイド表示ＯＮ／ＯＦＦスイッチ１１７がＯＮになっているか否かを判定する。ガイド表示ＯＮ／ＯＦＦスイッチ１１７がＯＦＦになっていれば、ガイド表示信号を表示処理回路１１０に出力せずにメインルーチンへリターンする。それに対して、ガイド表示ＯＮ／ＯＦＦスイッチ１１７がＯＮになっていれば、ステップＳ９０２へ進む。
【００５０】
ステップＳ９０２では、モード切換スイッチ１１５の設定状態を判定し、撮影モードが動画撮影モードであるか、静止画撮影モードであるかを判定する。動画撮影モードであれば、ステップＳ９０４へ進み、ゲイン可変アンプ回路１１８のゲインを下げる、すなわち、傾き検出手段の検出感度を低く設定して、その後ステップＳ９０５へ進む。それに対して、静止画撮影モードであれば、ステップＳ９０３へ進む。
【００５１】
ステップＳ９０３では、シャッターボタン１１６の押下位置が半押し位置にあるか否かを判定する。半押し位置にあれば、ゲイン可変アンプ回路１１８のゲインを通常設定のまま、すなわち、傾き検出手段の検出感度を通常設定のままとしてステップＳ９０５へ進む。半押し位置になければ、ステップＳ９０４へ進み、ゲイン可変アンプ回路１１８のゲインを下げる、すなわち、傾き検出手段の検出感度を低く設定する。これは、傾きガイド表示を目立たなくするための動作である。
【００５２】
ステップＳ９０５では、傾きセンサ１０５のセンサ出力をサンプリングし、ステップＳ９０６では、表示処理回路１１０を経て、表示装置１１１により傾きガイドを表示する。
【００５３】
動画撮影モード時には、撮影者が手持ちで、動きのある被写体を追いかけるようにパンニングしながら撮影する用途が多い。そのため、撮影者がカメラを常に水平に保持することは困難であるし、敏感に傾きガイド表示が動いてしまうと、煩わしく感じられることもある。また、静止画撮影モード時でも、シャッターボタン１１６の押下位置が半押し位置以外の場合は、フレーミング中であると考えられる。そこで、これらの場合には、傾き検出手段の検出感度を低く設定することにより、撮影者にとって不快な使用感を与えることを防ぐことができる。
【００５４】
それに対して、静止画撮影モード時に、シャッターボタン１１６が半押し位置にある場合、撮影者はその１シーンを記録するために、意図した構図となっているか、特に被写体が傾いていないかを考慮し、被写体が傾いていない状態へとカメラを水平に保持しようとする。そこで、この場合には、傾き検出手段の検出感度を通常設定のままとし、相対的に高くすることにより、より微妙な傾きを撮影者にわかりやすく提示することができる。
【００５５】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００５６】
この場合、記憶媒体から読み出されたプログラムコード自体が上述した実施形態の機能を実現することになり、プログラムコード自体及びそのプログラムコードを記憶した記憶媒体は本発明を構成することになる。
【００５７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５８】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００５９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００６０】
【図１】第１の実施形態に係るビデオカメラの概略構成を示すブロック図である。
【図２】ビデオカメラの傾きと傾きセンサの出力との関係を示す図である。
【図３】第１の実施形態におけるカメラシステム制御マイコンの処理動作を説明するためのフローチャートである。
【図４】表示装置に傾きガイド表示が行われている状態を示す図である。
【図５】第２の実施形態におけるカメラシステム制御マイコンの処理動作を説明するためのフローチャートである。
【図６】第３の実施形態に係るビデオカメラの概略構成を示すブロック図である。
【図７】第３の実施形態におけるカメラシステム制御マイコンの処理動作を説明するためのフローチャートである。
【図８】第３の実施形態におけるゲイン可変アンプ回路の構成例を示す図である。
【図９】第４の実施形態におけるカメラシステム制御マイコンの処理動作を説明するためのフローチャートである。
【図１０】第４の実施形態におけるゲイン可変アンプ回路の構成例を示す図である。
【符号の説明】
【００６１】
１０１    レンズユニット
１０２    ズーム駆動源
１０３    絞り駆動源
１０４    フォーカシング駆動源
１０５    傾きセンサ
１０６    アンプ回路
１０７    ＣＣＤ
１１０    表示処理回路
１１１    表示装置
１１２    カメラシステム制御マイコン
１１３    カメラ制御部
１１４    表示制御部
１１８    ゲイン可変アンプ
１１９    アンプ制御部
【図１】
2007336342.tif 000003
【図２】
2007336342.tif 000004
【図３】
2007336342.tif 000005
【図４】
2007336342.tif 000006
【図５】
2007336342.tif 000007
【図６】
2007336342.tif 000008
【図７】
2007336342.tif 000009
【図８】
2007336342.tif 000010
【図９】
2007336342.tif 000011
【図１０】
2007336342.tif 000012